(57)【要約】【課題】リード線（動力線および中性線）端末の処理を簡単に行うことができるとともに、固定子のコイルエンド高さを低くすることができる回転電機およびそのリード線端末の処理方法を提供すること。【解決手段】ステータ１１から動力線端末２１Ｕ，２１Ｖ，２１Ｗと中性線端末２３とが引き出されている三相モータ１０において、各動力線端末２１Ｕ，２１Ｖ，２１Ｗを固定する固定部３２Ｕ，３２Ｖ，３２Ｗと、中性線端末２３を固定する固定部３３とが一体的に形成された端子台３０を備え、その端子台３０は、ステータ１１の外周とステータ１１が収容されるケース１２との間に取り付けられている。【選択図】図１
2008125170.tif 000002
【特許請求の範囲】
【請求項１】
固定子から動力線端末と中性線端末とが引き出されている回転電機において、
前記動力線端末を固定する動力線固定部と、前記中性線端末を固定する中性線固定部とが一体的に形成された端子台を有し、
前記端子台は、前記固定子外周と前記固定子が収容されるケースとの間に取り付けられていることを特徴とする回転電機。
【請求項２】
請求項１に記載する回転電機において、
前記動力線端末および中性線端末は、前記端子台にそれぞれボルト締結によって固定されていることを特徴とする回転電機。
【請求項３】
請求項１または請求項２に記載する回転電機において、
前記端子台には、前記動力線端末間、前記動力線端末と前記中性線端末との間、固定子コアと前記動力線端末または中性線端末との間、あるいは前記ケースと前記動力線端末または中性線端末との間のいずれかに少なくとも１つ以上の絶縁壁が形成されていることを特徴とする回転電機。
【請求項４】
固定子から引き出された動力線端末および中性線端末の処理を行う回転電機のリード線端末の処理方法において、
前記動力線端末および中性線端末を端子台に締結するリード線締結工程と、
前記締結工程で前記動力線端末および中性線端末が締結された端子台を前記固定子に対し位置決めして仮固定する端子台位置決め工程と、
前記端子台位置決め工程後にワニス処理された固定子をケースに収容する収容工程と、
前記リード線締結工程で前記動力線端末および中性線端末が締結された端子台を、前記収容工程で前記ケース内に収納された固定子の外周と前記ケースとの間に取り付ける端子台取付工程と
を含むことを特徴とする回転電機のリード線端末の処理方法。
【請求項５】
請求項４に記載する回転電機のリード線端末の処理方法において、
前記リード線締結工程では、前記動力線端末および中性線端末を前記端子台にそれぞれボルト締結によって固定することを特徴とする回転電機のリード線端末の処理方法。
【発明の詳細な説明】
【技術分野】
【０００１】
本発明は、固定子から引き出されたリード線（動力線および中性線）を備える回転電機、およびリード線端末の処理方法に関する。より詳細には、リード線端末の位置決め・固定を簡単に行うことができるとともに、コイルエンド高さを低くすることができる回転電機およびそのリード線端末の処理方法に関するものである。
【背景技術】
【０００２】
ステータ（固定子）から動力線端末および中性線端末が引き出されたモータ（回転電機）では、動力線端末および中性線端末の処理を行う必要がある。そこで、各動力線端末１２１Ｕ，１２１Ｖ，１２１Ｗは、モータケースに固定されている端子台（不図示）に接続して固定していた。一方、中性線端末１２３は、図８に示すように、絶縁テープ１２５を巻き付けた後にステータのコイルエンド上（軸方向端部）に糸１２７で縛って固定していた。
【０００３】
例えば、三相モータの場合には、図９に示す手順で動力線端末および中性線端末の処理が行われていた。まず、中性線端末１２３に絶縁テープ１２５を巻き付け、絶縁テープ１２５を巻き付けた中性線端末１２３をコイルエンド上に位置決めして糸１２７で縛って固定する。次に、３本の動力線端末１２１Ｕ，１２１Ｖ，１２１Ｗの位置決めを行う。この位置決めは、専用の治具を用いて行われる。なお、この状態では、各動力線端末１２１Ｕ，１２１Ｖ，１２１Ｗは、端子台に締結されていない。
【０００４】
そして、この状態で、ステータに対してワニス処理を実施する。このワニス処理が終了すると、各動力線端末１２１Ｕ，１２１Ｖ，１２１Ｗの位置決め治具を外す。また、モータケースに端子台を締結し、その後、モータケースにステータを収容して締結する。そして最後に、モータケースに締結された端子台に３本の動力線端末１２１Ｕ，１２１Ｖ，１２１Ｗを締結して、動力線端末１２１Ｕ，１２１Ｖ，１２１Ｗ、および中性線端末１２３の処理が完了する。このように三相モータを生産する際、動力線端末および中性線端末の位置決めを行って処理するには多大な工程を必要としていた。
【０００５】
そこで、工程の簡素化を図るための技術が色々と提案されている。そのうちの１つとして、例えば、動力線端末を端子台に無理なく締結することができるモータモジュールが提案されている（特許文献１）。このモータモジュールでは、動力線端末の位置決め・固定を行うために必要な工程の簡素化を図るようになっている。
【特許文献１】特開２００５−２２９７５５号公報
【発明の開示】
【発明が解決しようとする課題】
【０００６】
しかしながら、上記したモータモジュールでは、中性線端末の処理については何ら配慮されておらず、中性線端末の位置決め・固定を含む処理は従来のままであると考えられる。このため、中性線は、その端末に絶縁テープが巻き付けられてコイルエンド上に位置決めされて糸縛りによって固定されることになる。従って、中性線端末の処理を行う際には、絶縁テープの巻き付け、および糸縛りによる固定が必要であり手間がかかるという問題があった。また、コイルエンド上に中性線端末を固定するため、その分コイルエンド高さが高くなってしまうという問題もあった。特に、車両搭載用のモータに対しては、搭載スペースの関係から少しでも（ミリ単位で）コイルエンド高さを低くしたいという要請がある。
【０００７】
そこで、本発明は上記した問題点を解決するためになされたものであり、リード線（動力線および中性線）端末の処理を簡単に行うことができるとともに、固定子のコイルエンド高さを低くすることができる回転電機およびそのリード線端末の処理方法を提供することを課題とする。
【課題を解決するための手段】
【０００８】
上記問題点を解決するためになされた本発明に係る回転電機は、固定子から動力線端末と中性線端末とが引き出されている回転電機において、前記動力線端末を固定する動力線固定部と、前記中性線端末を固定する中性線固定部とが一体的に形成された端子台を有し、前記端子台は、前記固定子外周と前記固定子が収容されるケースとの間に取り付けられていることを特徴とする。
【０００９】
この回転電機では、固定子から引き出された動力線端末と中性線端末をそれぞれ固定する動力線固定部と中性線固定とが一体的に形成された端子台を有する。そして、この端子台が固定子外周とケースとの間に取り付けられている。これにより、動力線端末と中性線端末との両方は、端子台に固定されて固定子外周とケースとの間に配置される。従って、この回転電機では、中性線端末と他コイル、固定子コア、およびケースとの絶縁距離を保つことができる。その結果、中性線端末に絶縁テープを巻き付ける工程が不要になる。
【００１０】
また、中性線端末は端子台に固定されるため、中性線端末をコイルエンド上に糸縛りにより固定する工程が不要になる。ここで、中性線端末を固定する工程自体を削減することはできないが、中性線端末を固定する作業としては、コイルエンド上に糸縛りする作業よりも端子台に固定する作業の方が簡単であり手間がかからない。つまり、本発明に係る回転電機によれば、従来の回転電機に比べ、中性線端末の処理を手間をかけずに行うことができる。
【００１１】
さらに、動力線端末と中性線端末のそれぞれの位置決めを行うことなく、端子台の位置決めを行ってワニス処理を実施することができる。例えば、三相回転電機の場合であれば、動力線が３本、中性線が１本存在する（実際には３本が一体化されている）ため、従来は合計４本のリード線端末それぞれに対して位置決め作業が必要であった。これに対して、本発明に係る回転電機では、端子台の位置決めを行うことにより、動力線端末および中性線端末が位置決めされる。動力線端末および中性線端末が端子台に固定されているからである。従って、動力線端末および中性線端末の位置決め作業が非常に簡単になる。
【００１２】
このように、本発明に係る回転電機によれば、固定子から引き出されたリード線端末の処理を簡単に行うことができる。また、本発明に係る回転電機によれば、中性線端末がコイルエンド上に配置（固定）されないため、コイルエンド高さが高くならない。つまり、中性線端末をコイルエンド上に固定した従来の回転電機に比べ、コイルエンド高さを低くすることができる。
【００１３】
本発明に係る回転電機においては、前記動力線端末および中性線端末は、前記端子台にそれぞれボルト締結によって固定されていることが望ましい。
【００１４】
これにより、動力線端末および中性線端末を端子台に対してしっかりと固定することができるとともに、その取付作業を非常に簡単（自動化も可能）にすることができるからである。特に、中性線端末の処理については、糸縛りからボルト締結になることから、作業効率が大幅に向上する。
【００１５】
また、本発明に係る回転電機においては、前記端子台には、前記動力線端末間、前記動力線端末と前記中性線端末との間、固定子コアと前記動力線端末または中性線端末との間、あるいは前記ケースと前記動力線端末または中性線端末との間のいずれかに少なくとも１つ以上の絶縁壁が形成されていることが望ましい。
【００１６】
本発明に係る回転電機では、動力線端末および中性線端末を端子台に集約して固定するため、動力線端末間、動力線端末と中性線端末との間、固定子コアと動力線端末または中性線端末との間、あるいはケースと動力線端末または中性線端末との間において絶縁距離を確保することができないおそれがある。特に、ハイブリッド車両搭載用の回転電機の場合には、高電圧下で使用されるとともに小型化を図る必要があるため、上記した絶縁距離を確保することが困難になるおそれがある。
【００１７】
このため、動力線端末間、動力線端末と中性線端末との間、固定子コアと動力線端末または中性線端末との間、あるいはケースと動力線端末または中性線端末との間のいずれかに少なくとも１つ以上の絶縁壁を形成することにより、各箇所における絶縁性を確保することができる。なお、絶縁壁は、絶縁距離が確保できない箇所にだけ形成すればよく、端子台を成形する際に一体成形すればよい。このため、絶縁壁を形成するために余分な手間やコストがほとんどかからない。
【００１８】
上記問題点を解決するためになされた本発明に係る回転電機のリード線端末の処理方法は、固定子から引き出された動力線端末および中性線端末の処理を行う回転電機のリード線端末の処理方法において、前記動力線端末および中性線端末を端子台に締結するリード線締結工程と、前記締結工程で前記動力線端末および中性線端末が締結された端子台を前記固定子に対し位置決めして仮固定する端子台位置決め工程と、前記端子台位置決め工程後にワニス処理された固定子をケースに収容する収容工程と、前記リード線締結工程で前記動力線端末および中性線端末が締結された端子台を、前記収容工程で前記ケース内に収納された固定子の外周と前記ケースとの間に取り付ける端子台取付工程とを含むことを特徴とする。
【００１９】
この回転電機のリード線端末の処理方法では、まず、リード線締結工程にて、固定子から引き出されている動力線端末および中性線端末を端子台に締結する。そして、端子台位置決め工程にて、リード線締結工程で動力線端末および中性線端末が締結された端子台を固定子に位置決めして仮固定する。
【００２０】
従って、本発明に係るリード線端末の処理方法によれば、動力線端末と中性線端末のそれぞれの位置決めを行うことなく、端子台の位置決めを行うことによりリード線の位置決め作業を完了させることができる。例えば、三相回転電機の場合であれば、動力線が３本、中性線が１本存在するため、従来は合計４本のリード線端末それぞれに対して位置決め作業が必要であった。これに対して、本発明に係る処理方法では、各動力線端末および中性線端末が端子台に締結されているため、端子台の位置決めを行うことにより、各動力線端末および中性線端末が位置決めされる。よって、動力線端末および中性線端末の位置決め作業が非常に簡単になる。
【００２１】
続いて、この回転電機のリード線端末の処理方法では、収容工程にて、端子台位置決め工程後にワニス処理された固定子をケースに収容する。そして、端子台取付工程にて、リード線締結工程で動力線端末および中性線端末が締結された端子台を固定子外周とケースとの間に取り付ける。かくして、リード線端末の処理が終了する。
【００２２】
従って、本発明に係るリード線端末の処理方法によれば、動力線端末および中性線端末が締結された端子台を固定子外周とケースとの間に取り付けるので、動力線端末と中性線端末との両方は、端子台に固定されて固定子外周とケースとの間に配置される。このため、中性線端末と他コイル、固定子コア、およびケースとの絶縁距離を保つことができる。その結果、中性線端末に絶縁テープを巻き付ける工程を不要にすることができる。
また、中性線端末は端子台に締結されるため、中性線端末をコイルエンド上に糸縛りにより固定する工程も不要にすることができる。ここで、中性線端末を固定する工程自体を削減することはできないが、中性線端末を固定する作業としては、コイルエンド上に糸縛りする作業よりも端子台に締結する作業の方が簡単であり手間がかからない。つまり、本発明に係るリード線の処理方法によれば、従来技術に比べ、中性線端末の処理を手間をかけずに行うことができる。
【００２３】
このように、本発明に係る回転電機のリード線の処理方法によれば、固定子から引き出されたリード線端末の処理を簡単に行うことができるとともに、中性線端末がコイルエンド上に配置（固定）されないため、コイルエンド高さが高くならない。つまり、中性線端末をコイルエンド上に固定した従来の回転電機に比べ、コイルエンド高さを低くすることができる。
【００２４】
本発明に係る回転電機のリード線端末の処理方法においては、前記リード線締結工程では、前記動力線端末および中性線端末を前記端子台にボルト締結によって固定することが望ましい。
【００２５】
こうすることにより、端子台への動力線端末および中性線端末の取付作業を非常に簡単（自動化も可能）にすることができるとともに、動力線端末および中性線端末を端子台に対してしっかりと固定することができるからである。
【発明の効果】
【００２６】
本発明に係る回転電機の固定子構造によれば、上記した通り、リード線（動力線および中性線）端末の処理を簡単に行うことができるとともに、固定子のコイルエンド高さを低くすることができる。
【発明を実施するための最良の形態】
【００２７】
以下、本発明の回転電機およびリード線端末の処理方法を具体化した最も好適な実施の形態について、図面に基づき詳細に説明する。そこで、本発明を適用した三相モータの概略構成を図１に示す。図１は、三相モータの概略構成を示す部分斜視図である。
【００２８】
本実施の形態に係る三相モータ１０は、Ｕ，Ｖ，Ｗ相のコイルを備えるステータ１１を備えている。このステータ１１は、複数枚の電磁鋼板が積層されて一体的に接着されて形成された円環形状のステータコア１１ａに所定の間隔で形成されたスロットに、Ｕ，Ｖ，Ｗ相のコイルが挿入されて構成されている（図４，図５参照）。そして、このようなステータ１１と、ステータ１１の中心に回転可能に配置される不図示のロータとが、ケース１２に収容されて三相モータ１０が構成されている。このような三相モータ１０では、ステータ１１に備わる各相コイルの動力線２０Ｕ，２０Ｖ，２０Ｗに対して外部から電力を供給することにより、ステータ１１の中心に配置された不図示のロータが回転するようになっている。
【００２９】
ここで、ステータ１１からはＵ相コイルの動力線２０Ｕ、Ｖ相コイルの動力線２０Ｖ、Ｗ相コイルの動力線２０Ｗと、中性線２２とが引き出されている。これらの動力線２０Ｕ，２０Ｖ，２０Ｗ、および中性線２２の各端末２１Ｕ，２１Ｖ，２１Ｗおよび２３には接続端子がかしめられている。そして、各動力線端末２１Ｕ，２１Ｖ，２１Ｗ、および中性線端末２３は、ケース１２に取り付けられた端子台３０に対してボルト１５により固定されている。
【００３０】
端子台３０は、各動力線端末２１Ｕ，２１Ｖ，２１Ｗ、および中性線端末２３を集約して固定するためのものであり、図２に示すように、樹脂製のベース３１に、各動力線端末２１Ｕ，２１Ｖ，２１Ｗの固定部３２Ｕ，３２Ｖ，３２Ｗと、中性線端末２３の固定部３３とが一体形成されている。なお、図２は、端子台の概略構成を示す斜視図である。端子台３０に設けられた固定部３２Ｕ，３２Ｖ，３２Ｗは横一列に配置され、固定部３３は固定部３２Ｕ，３２Ｖ，３２Ｗに対してステータ１１寄りに配置されている。そして、固定部３２Ｕ，３２Ｖ，３２Ｗには、それぞれ外部接続端子３４Ｕ，３４Ｖ，３４Ｗがベース３１から突出して設けられている。外部接続端子３４Ｕ，３４Ｖ，３４Ｗは、モータ１０（ステータ１１）に電力を供給するための外部配線を接続するためのものである。これにより、各動力線端末２１Ｕ，２１Ｖ，２１Ｗを各固定部３２Ｕ，３２Ｖ，３２Ｗに固定すると、各動力線端末２１Ｕ，２１Ｖ，２１Ｗが各外部接続端子３４Ｕ，３４Ｖ，３４Ｗに接続されるようになっている。
【００３１】
各固定部３２Ｕ，３２Ｖ，３２Ｗ、および３３には、各動力線端末２１Ｕ，２１Ｖ，２１Ｗ、および中性線端末２３を固定するためのボルト１５を挿通させるボルト挿通穴１５ａが形成され、各固定部の裏面にボルト１５と締結するナット（不図示）が取り付けられている。これにより、各動力線端末２１Ｕ，２１Ｖ，２１Ｗ、および中性線端末２３の各接続端子穴と各固定部３２Ｕ，３２Ｖ，３２Ｗ、および３３に形成されたボルト挿通穴１５ａとを一致させて、各穴にボルト１５を挿通して不図示のナットに締結させることにより、各動力線端末２１Ｕ，２１Ｖ，２１Ｗ、および中性線端末２３を、各固定部３２Ｕ，３２Ｖ，３２Ｗ、および３３に固定することができるようになっている。
【００３２】
また、各固定部３２Ｕ，３２Ｖ，３２Ｗの間には、絶縁壁３５，３６が立設されている。詳細には、固定部３２Ｕと３２Ｖとの間に絶縁壁３５が設けられ、固定部３２Ｖと３２Ｗとの間に絶縁壁３６が設けられている。これら絶縁壁３５，３６は、同一形状をなし、動力線端末２１Ｕと２１Ｖ，２１Ｖと２１Ｗを互いに遮断して覆い隠す平板状のものである。また、固定部３３のケース１２側の端部にも絶縁壁３７が立設されている。この絶縁壁３７は、中性線端末３３を覆い隠す平板状のものである。これらの絶縁壁３５，３６，３７は、ベース３１に一体形成されている。
このような端子台３０に絶縁壁３５，３６，３７が形成されているため、三相モータ１０において絶縁距離の確保が困難であった、動力線端末２０Ｕと２０Ｖとの間、動力線端末２０Ｖと２０Ｗとの間、および中性線端末２３とケース１２との間においても絶縁性を確保することができるようになっている。
【００３３】
そして、端子台３０には、固定部３２Ｕ，３２Ｖ，３２Ｗの下方に治具装着部３８が形成されている。この治具装着部３８は、ステータ１１に対するワニス処理を実施する際に、端子台３０をステータ１１に位置決めして仮固定するために使用するマグネット治具５０（図５参照）を装着する部分（空間）である。これにより、マグネット治具５０を治具装着部３８に装着するだけで、磁力によって端子台３０をステータ１１外周の所定位置に簡単に位置決めして仮固定することができるようになっている。
【００３４】
また、端子台３０の両端部には、端子台３０をケース１２に締結するための締結部３９が形成されている。この締結部３９に形成された貫通穴にボルトを挿通させてケース１２に形成された雌ネジに締め付けることにより、端子台３０がケース１２にボルト締結されるようになっている。
具体的には、端子台３０は、図１に示すように、ケース１２に収容されたステータ１１の外周とケース１２との間に配置された状態で、ケース１２に固定されている。そして、各動力線端末２１Ｕ，２１Ｖ，２１Ｗ、および中性線端末２３は、ボルト１５によって端子台３０にそれぞれ固定されている。これにより、各動力線端末２１Ｕ，２１Ｖ，２１Ｗ、および中性線端末２３は、ステータ１１の外周とケース１２との間に固定されることになる。このように、三相モータ１０では、中性線端末２３がステータ１１のコイルエンド上に配置されないため、従来技術として例示したモータ（図８参照）のように中性線端末に絶縁テープを巻き付ける必要がないとともに、コイルエンド高さが低くなっている。
【００３５】
続いて、上記した三相モータ１０を製作するために実施するリード線端末の処理方法について、図３〜図６を参照しながら説明する。図３は、リード線端末の処理手順を示すフローチャートである。図４は、各動力線端末および中性線端末を固定した端子台をステータに仮固定した状態を示す斜視図である。図５は、図４に示す状態のステータを反リード側から見た斜視図である。図６は、本発明に係るリード線端末の処理方向を実施したステータコアと従来のリード線端末の処理方向を実施したステータコアとのコイルエンド高さの比較結果を示す図である。
【００３６】
本実施の形態に係るリード線端末の処理方法では、図３に示すように、まず、端子台３０に対して各動力線端末２１Ｕ，２１Ｖ，２１Ｗ、および中性線端末２３を締結する。具体的には、端子台３０の各固定部３２Ｕ，３２Ｖ，３２Ｗ、および３３に対して、各動力線端末２１Ｕ，２１Ｖ，２１Ｗ、および中性線端末２３をボルト１５によってそれぞれ締結する。次に、図４または図５に示すように、端子台３０をステータ１１の所定位置に位置決めして仮固定する。具体的には、端子台３０の治具装着部３８にマグネット治具５０を装着し、マグネット治具５０が装着された端子台３０をステータコア１１ａ外周の所定位置に取り付ける。このようにして、端子台３０がステータ１１の所定位置に位置決めされることにより、各動力線端末２１Ｕ，２１Ｖ，２１Ｗ、および中性線端末２３も位置決めされる。なぜなら、各動力線端末２１Ｕ，２１Ｖ，２１Ｗ、および中性線端末２３は、端子台３０に締結されているからである。
【００３７】
そして、マグネット治具５０を介して端子台３０をステータ１１外周に仮固定した状態でワニス含浸処理を実施する。ワニス含浸処理が終了したら、端子台３０からマグネット治具５０を取り外す。これにより、端子台３０はフリー状態になる。しかしながら、ワニス含浸処理により各動力線２０Ｕ，２０Ｖ，２０Ｗ、および中性線２２が固められているため、端子台３０はほとんど動かない。この状態で、ステータ１１を端子台３０とともに、ケース１２に収容する。このとき、端子台３０は予め所定位置に配置されてほとんど動かないため、スムーズにケース１２内に収まる。最後に、ケース１２内に収容された端子台３０をケース１２に締結する。具体的には、端子台３０の締結部３９に形成された貫通穴３９ａにボルトを挿通させ、ケース１２に形成された雌ネジに締め付ける。かくして、各動力線端末２１Ｕ，２１Ｖ，２１Ｗ、および中性線端末２３の処理が終了する。
【００３８】
ここで、本実施の形態に係るリード線端末の処理方法（図３参照）と、従来のリード線端末の処理方法（図９参照）とを比較すると、処理工程が削減されていることが明らかである。具体的には、本実施の形態に係るリード線端末の処理方法では、中性線端末２３に絶縁テープを巻き付ける工程が不要になる。このように中性線端末２３に絶縁テープを巻き付ける必要がなくなるのは、中性線端末２３が締結された端子台３０をステータ１１外周とケース１２との間に取り付けるので、中性線端末２３がコイルエンド上に配置されず、ステータ１１外周とケース１２との間に配置され、また端子台３０に絶縁壁３７が形成されているため、中性線端末２３と他コイル、ステータコア１１ａ、およびケース１２との絶縁性を確保することができるからである。
【００３９】
また、本実施の形態に係るリード線端末の処理方法では、中性線端末２３をコイルエンド上に糸縛りにより固定する工程が不要になる。中性線端末２３は端子台３０に締結されるからである。ここで、中性線端末２３を固定する工程自体を削減することはできないが、中性線端末２３を固定する作業としては、従来のようにコイルエンド上に糸縛りする作業に比べ、ボルト１５によって端子台３０に締結する作業の方が簡単であり手間がかからない。このため、本実施の形態によれば、従来技術に比べ、中性線端末２３の処理を手間をかけずに行うことができる。また、中性線端末２３をボルト１５によって端子台３０に締結するので、この作業を自動化することも可能である。
【００４０】
さらに、本実施の形態に係るリード線端末の処理方法では、各動力線端末２１Ｕ，２１Ｖ，２１Ｗと中性線端末２３の位置決めをそれぞれ独立して行う必要がない。つまり、端子台３０の位置決めを行うことにより、各動力線端末２１Ｕ，２１Ｖ，２１Ｗと中性線端末２３との位置決め作業を完了させることができる。そして、端子台３０の位置決めは、端子台３０の治具装着部３８にマグネット治具５０を装着し、磁力によって端子台３０をステータコア１１ａの所定位置に仮固定するため、作業が非常に簡単であり、また自動化することも可能である。
【００４１】
また、本実施の形態に係るリード線端末の処理方法を実施すると、中性線端末２３がコイルエンド上に配置（固定）されないため、コイルエンド高さが高くならない。つまり、図６に示すように、中性線端末をコイルエンド上に固定した従来のステータに比べ、コイルエンド高さを低くすることができる。
【００４２】
以上、詳細に説明した通り、本実施の形態に係るリード線端末の処理方法を実施した三相モータ１０によれば、中性線端末２３が締結された端子台３０をステータ１１外周とケース１２との間に取り付けるので、中性線端末２３がコイルエンド上に配置されず、ステータ１１外周とケース１２との間に配置され、また端子台３０に絶縁壁３７が形成されているため、中性線端末２３と他コイル、ステータコア１１ａ、およびケース１２との絶縁性を確保することができる。これにより、中性線端末２３に絶縁テープを巻き付ける工程を不要にすることができる。また、中性線端末２３を端子台３０にボルト１５によって締結するため、中性線端末２３をコイルエンド上に糸縛りによって固定する工程を不要にすることができる。さらに、本実施の形態に係るリード線端末の処理方法では、端子台３０の位置決めを行うことにより、各動力線端末２１Ｕ，２１Ｖ，２１Ｗと中性線端末２３との位置決め作業を完了させることができる。
このように、本実施の形態に係るリード線端末の処理方法を実施することにより、リード線端末の処置を非常に簡単に行うことができる。
【００４３】
また、本実施の形態に係るリード線端末の処理方法を実施した三相モータ１０によれば、中性線端末２３がコイルエンド上に配置（固定）されずに、ステータ１１外周とケース１２との間に配置される。これにより、中性線端末をコイルエンド上に固定した従来のステータに比べ、コイルエンド高さを低くすることができる。
【００４４】
なお、上記した実施の形態は単なる例示にすぎず、本発明を何ら限定するものではなく、その要旨を逸脱しない範囲内で種々の改良、変形が可能であることはもちろんである。例えば、上記した実施の形態では、各動力線端末２１Ｕ，２１Ｖ，２１Ｗ、および中性線端末２３を端子台３０に締結した状態でワニス処理が行われるため、ワニス処理の際に端子台３０が邪魔になる場合もあり得る。このため、図７に示すように、各動力線端末２１Ｕ，２１Ｖ，２１Ｗ、および中性線端末２３にかしめる各接続端子を一体とする一体化部品４５を使用するようにしてもよい。これにより、ワニス処理の際には端子台３０よりも小さい一体化部品４５が各動力線端末２１Ｕ，２１Ｖ，２１Ｗ、および中性線端末２３に取り付けられているので邪魔にならない。そして、一体化部品４５を使用することによっても、上記した効果を得ることができる。
【００４５】
また、上記した実施の形態では、端子台３０に３つの絶縁壁を形成したものを例示したいが、絶縁壁の形成箇所はこれだけに限られるものではない。例えば、更なるモータ（ケース）の小型化を図る場合などに、動力線端末２１Ｕと中性線端末２３との間隔が狭くなって絶縁距離を確保できなくおそれが生じたときには、動力線端末２１Ｕと中性線端末２３との間に絶縁壁を形成すればよい。つまり、端子台３０に形成する絶縁壁は、各動力線端末間、動力線端末と中性線端末との間、スタータコアと各動力線端末または中性線端末との間、あるいはケースと各動力線端末または中性線端末との間で絶縁距離を確保することが難しい箇所に形成すればよい。これにより、更なるモータ（ケース）の小型化を図る場合などであっても、各箇所における絶縁性を確保することができる。
【図面の簡単な説明】
【００４６】
【図１】三相モータの概略構成を示す部分斜視図である。
【図２】端子台の概略構成を示す斜視図である。
【図３】リード線端末の処理手順を示すフローチャートである。
【図４】各動力線端末および中性線端末を固定した端子台をステータに仮固定した状態を示す斜視図である。
【図５】図４に示す状態のステータを反リード側から見た斜視図である。
【図６】本発明に係るリード線端末の処理方向を実施したステータコアと従来のリード線端末の処理方向を実施したステータコアとのコイルエンド高さの比較結果を示す図である。
【図７】本発明の変形例を説明するための説明図である。
【図８】従来の三相モータにおける中性線端末の固定状態を説明する説明図である。
【図９】従来のリード線端末の処理手順を示すフローチャートである。
【符号の説明】
【００４７】
１０    モータ
１１    ステータ
１１ａ  ステータコア
１２    ケース
１５    ボルト
１５ａ  ボルト挿通穴
２０Ｕ，２０Ｖ，２０Ｗ  動力線
２１Ｕ，２１Ｖ，２１Ｗ  動力線端末
２２    中性線
２３    中性線端末
３０    端子台
３１    ベース
３２Ｕ，３２Ｖ，３２Ｗ  （動力線用）固定部
３３    （中性線用）固定部
３４Ｕ，３４Ｖ，３４Ｗ  外部接続端子
３５，３６，３７  絶縁壁
３８    治具装着部
３９    締結部
４５    一体化部品
５０    マグネット治具
【図１】
2008125170.tif 000003
【図２】
2008125170.tif 000004
【図３】
2008125170.tif 000005
【図４】
2008125170.tif 000006
【図５】
2008125170.tif 000007
【図６】
2008125170.tif 000008
【図７】
2008125170.tif 000009
【図８】
2008125170.tif 000010
【図９】
2008125170.tif 000011